(57)【要約】【課題】消耗材の劣化を抑制できる、画像形成装置、処理実行方法及びプログラムを提供する。【解決手段】第１ジョブ及び第２ジョブがマルチ出力ジョブであり、第１ジョブ及び第２ジョブに係る出力処理として、印刷処理と送信処理とが指定されている場合、第１ジョブに係る出力処理では、印刷処理が送信処理の後に実行され、第２ジョブに係る出力処理では、印刷処理が送信処理の前に実行される。これにより、第１ジョブの印刷処理の終了後に第２ジョブの印刷処理が連続的に実行される。【選択図】図５
2020108924.tif 000002
【特許請求の範囲】
【請求項１】
シートを搬送する搬送部と、
前記搬送部により搬送されるシートに画像を形成する画像形成部と、
前記搬送部及び前記画像形成部を駆動する駆動部と、
通信部と、
制御部と、
を備え、
前記制御部は、
前記画像形成部及び前記搬送部を制御して、前記画像データに係る画像をシートに形成させる画像形成処理と、
前記通信部を制御して、前記通信部を制御して前記画像データに係る送信データを送信させる送信処理と、を実行可能であり、
前記制御部は、
第１画像データに係る出力処理として、前記画像形成処理と前記送信処理とが指定された第１マルチ出力ジョブと、第２画像データに係る出力処理として、前記画像形成処理と前記送信処理とが指定された第２マルチ出力ジョブと、を受け付けた場合、
前記第１マルチ出力ジョブ及び前記第２マルチ出力ジョブの少なくとも一方について前記送信処理と前記画像形成処理の実行順を制御して、前記第１マルチ出力ジョブに係る前記画像形成処理と前記第２マルチ出力ジョブに係る前記画像形成処理とを連続的に実行する、
ことを特徴とする、画像形成装置。
【請求項２】
請求項１に記載の画像形成装置であって、
前記第２マルチ出力ジョブは、前記第１マルチ出力ジョブに続くジョブであり、
前記制御部は、
前記第１マルチ出力ジョブに係る前記出力処理において、前記画像形成処理を、前記送信処理の後に実行し、
前記第２マルチ出力ジョブに係る前記出力処理において、前記画像形成処理を、前記送信処理の前に実行する、
ことを特徴とする、画像形成装置。
【請求項３】
請求項２に記載の画像形成装置であって、
前記制御部は、
前記第２マルチ出力ジョブに続くジョブとして、前記画像形成処理と前記送信処理とが指定された第３マルチ出力ジョブを受け付けた場合、
前記第３マルチ出力ジョブに係る出力処理において、前記画像形成処理を、前記送信処理の後に実行し、
前記第２マルチ出力ジョブに係る前記画像形成処理の終了後、前記第３マルチ出力ジョブに係る前記画像形成処理の実行までの間、前記駆動部による駆動を停止する、
ことを特徴とする画像形成装置。
【請求項４】
請求項３に記載の画像形成装置であって、
前記制御部は、
前記第３マルチ出力ジョブに続くジョブとして、前記画像形成処理と前記送信処理とが指定された第４マルチ出力ジョブを受け付けた場合、
前記第４マルチ出力ジョブに係る出力処理において、前記画像形成処理を、前記送信処理の前に実行する、
ことを特徴とする、画像形成装置。
【請求項５】
請求項１〜４のいずれか一項に記載の画像形成装置であって、
前記第２マルチ出力ジョブにおいて、複数種類の前記送信処理が指定されている、
ことを特徴とする、画像形成装置。
【請求項６】
請求項１〜５のいずれか一項に記載の画像形成装置であって、
前記画像形成部は、現像剤を搬送する回転体を有し、
前記駆動部は、前記回転体を駆動する、ことを特徴とする画像形成装置。
【請求項７】
シートを搬送する搬送部と、
前記搬送部により搬送されるシートに画像を形成する画像形成部と、
前記搬送部及び前記画像形成部を駆動する駆動部と、
通信部と、
を備え、
前記画像形成部及び前記搬送部を制御して、前記画像データに係る画像をシートに形成させる画像形成処理と、
前記通信部を制御して、前記通信部を制御して前記画像データに係る送信データを送信させる送信処理と、を実行可能な画像形成装置における処理実行方法であって、
第１画像データに係る出力処理として、前記画像形成処理と前記送信処理とが指定された第１マルチ出力ジョブと、第２画像データに係る出力処理として、前記画像形成処理と前記送信処理とが指定された第２マルチ出力ジョブと、を受け付けた場合、
前記１マルチ出力ジョブ及び前記第２マルチ出力ジョブの少なくとも一方について前記送信処理と前記画像形成処理の実行順を制御して、前記第１マルチ出力ジョブに係る前記画像形成処理と前記第２マルチ出力ジョブに係る前記画像形成処理とを連続的に実行する、
ことを特徴とする、処理実行方法。
【請求項８】
シートを搬送する搬送部と、
前記搬送部により搬送されるシートに画像を形成する画像形成部と、
前記搬送部及び前記画像形成部を駆動する駆動部と、
通信部と、
を備え、
前記画像形成部及び前記搬送部を制御して、前記画像データに係る画像をシートに形成させる画像形成処理と、
前記通信部を制御して、前記通信部を制御して前記画像データに係る送信データを送信させる送信処理と、を実行可能な画像形成装置のコンピュータにインストールされるプログラムであって、
前記コンピュータに、
第１画像データに係る出力処理として、前記画像形成処理と前記送信処理とが指定された第１マルチ出力ジョブと、第２画像データに係る出力処理として、前記画像形成処理と前記送信処理とが指定された第２マルチ出力ジョブと、を受け付けた場合、
前記１マルチ出力ジョブ及び前記第２マルチ出力ジョブの少なくとも一方について前記送信処理と前記画像形成処理の実行順を制御して、前記第１マルチ出力ジョブに係る前記画像形成処理と前記第２マルチ出力ジョブに係る前記画像形成処理とを連続的に実行するよう動作させる、
ことを特徴とする、プログラム。
【発明の詳細な説明】
【技術分野】
【０００１】
本発明は、画像形成装置、画像形成装置における処理実行方法及び画像形成装置のコンピュータにインストールされるプログラムに関する。
【背景技術】
【０００２】
画像形成装置の一例として、プリント機能、スキャン機能及びファクシミリ機能を有する複合機（ＭＦＰ：Multi-Function Peripheral）が知られている。プリント機能は、用紙などのシートに画像データに係る画像を印刷する機能である。スキャン機能は、原稿から画像を読み取って画像データを生成する機能である。ファクシミリ機能は、画像データを公衆電話回線などを介して送受信する機能である。
【０００３】
また、複合機には、外部装置との間で画像データをＬＡＮ（Local Area Network）経由で通信する通信部を備えるものがある。この複合機は、たとえば、スキャン機能により読み取った画像データをインターネット上のサーバにアップロードするスキャンアップロード機能、スキャン機能により読み取った画像データを電子メールに添付して外部の機器に送信するスキャンメール機能などを有している。
【先行技術文献】
【特許文献】
【０００４】
【特許文献１】特開２０１４−７４８３号公報
【発明の概要】
【発明が解決しようとする課題】
【０００５】
かかる複合機において、同一の画像データを対象として、プリント機能による印刷処理と、ファクシミリ機能やスキャンアップロード機能などの送信機能による送信処理と、を含むマルチ出力処理が実行されることがある。
【０００６】
ところで、画像データを記憶する記憶部の容量など、リソースの能力に制限がある複合機では、マルチ出力処理において、印刷処理と送信処理とを並行的に実行できず、印刷処理と送信処理とが順次に実行される状況が生じる。
【０００７】
このような状況において、第１のマルチ出力処理に第２のマルチ出力処理が続く場合、第１のマルチ出力処理に係る第１の印刷処理と第２のマルチ出力処理に係る第２の印刷処理とを連続的に実行されず、これら印刷処理の間において実行間隔が空いてしまう。
【０００８】
このように、複数の印刷処理の間で実行間隔が空いてしまうと、その実行間隔において、装置の各部が駆動されるため、現像剤やシートを搬送するローラなどの消耗材の劣化が早く進む。
【０００９】
本発明の目的は、消耗材の劣化を抑制できる、画像形成装置、処理実行方法及びプログラムを提供することである。
【課題を解決するための手段】
【００１０】
前記の目的を達成するため、本発明の一の局面に係る画像形成装置は、シートを搬送する搬送部と、前記搬送部により搬送されるシートに画像を形成する画像形成部と、前記搬送部及び前記画像形成部を駆動する駆動部と、通信部と、制御部と、を備え、前記制御部は、前記画像形成部及び前記搬送部を制御して、前記画像データに係る画像をシートに形成させる画像形成処理と、前記通信部を制御して、前記通信部を制御して前記画像データに係る送信データを送信させる送信処理と、を実行可能であり、前記制御部は、第１画像データに係る出力処理として、前記画像形成処理と前記送信処理とが指定された第１マルチ出力ジョブと、第２画像データに係る出力処理として、前記画像形成処理と前記送信処理とが指定された第２マルチ出力ジョブと、を受け付けた場合、前記１マルチ出力ジョブ及び前記第２マルチ出力ジョブの少なくとも一方について前記送信処理と前記画像形成処理の実行順を制御して、前記第１マルチ出力ジョブに係る前記画像形成処理と前記第２マルチ出力ジョブに係る前記画像形成処理とを連続的に実行する、ことを特徴とする。
【００１１】
この構成によれば、第１マルチ出力ジョブの画像形成処理の終了後に第２マルチ出力ジョブの画像形成処理を連続的に実行することができる。その結果、それらの画像形成処理の実行間隔が大きく空かず、後続の画像形成処理の実行前に各部を駆動する準備動作が不要となるので、消耗材の劣化を抑制することができる。
【００１２】
なお、本発明は、画像形成装置の形態で実現できるだけでなく、たとえば、画像形成装置における処理実行方法及び画像形成装置のコンピュータにインストールされるプログラムの形態で実現することもできる。
【発明の効果】
【００１３】
本発明によれば、画像形成処理の実行間隔が大きく空かず、後続の画像形成処理の実行前に各部を駆動する準備動作が不要となるので、消耗材の劣化を抑制することができる。
【図面の簡単な説明】
【００１４】
【図１】本発明の一実施形態に係る複合機の電気的構成を示すブロック図である。
【図２】処理回路が実質的に備える機能処理部を示すブロック図である。
【図３】スケジュールタスクの流れを示すフローチャートである。
【図４】ジョブスケジュール処理の流れを示すフローチャートである。
【図５】第１のスケジュール例を示す図である。
【図６】第２のスケジュール例を示す図である。
【図７】第３のスケジュール例を示す図である。
【図８】第４のスケジュール例を示す図である。
【図９】印刷タスクの流れを示すフローチャートである。
【発明を実施するための形態】
【００１５】
以下では、本発明の実施の形態について、添付図面を参照しつつ詳細に説明する。
【００１６】
＜複合機の電気的構成＞
図１に示される複合機（ＭＦＰ：Multi-Function Peripheral）１は、プリント機能、スキャン機能及びファックス機能など、複数の機能を有する電子機器である。プリント機能（画像形成機能）は、画像データに係る画像を用紙などのシートに印刷する機能である。スキャン機能（画像読取機能）は、原稿を読み取って画像データを生成する機能である。ファックス機能は、画像データを公衆電話回線などを介して送受信する機能である。
【００１７】
複合機１（画像形成装置の一例）は、スキャン機能のための読取部１１と、プリント機能のための印刷部１２とを備えている。
【００１８】
読取部１１による画像読取の方式は、プリント用紙などのシートを搬送しつつそのシートの画像を読み取るＡＤＦ（Auto Document Feeder）方式であってもよいし、コンタクトガラス上に載置されたシートの画像を読み取るＦＢ（Flat Bed）方式であってもよい。
【００１９】
画像形成部の一例としての印刷部１２は、複合機１の筐体内の搬送路を搬送されるシートに画像を印刷する。そのため、複合機１には、シートを搬送する搬送ローラ１３１を有するシート搬送部１３と、印刷部１２及びシート搬送部１３の駆動源であるモータ１４とが備えられている。印刷部１２による印刷の方式は、電子写真方式であり、印刷部１２は、現像剤を担持する現像ローラ１２１（回転体の一例）と、現像ローラ１２１から現像剤が供給されて、シートに転写される現像剤像を担持する感光体ドラム１２２とを含む。モータ１４は、図示しない駆動伝達機構を介して、図１に破線で示されるように、搬送ローラ１３１、現像ローラ１２１及び感光体ドラム１２２と駆動力を伝達可能に連結されている。
【００２０】
また、複合機１は、操作パネル１５を備えている。操作パネル１５には、操作部１５１及び表示部１５２が設けられている。
【００２１】
操作部１５１は、操作キーを備えている。操作キーが操作されると、その操作が操作部１５１に受け付けられて、その操作の内容に応じた信号が操作パネル１５から出力される。
【００２２】
表示部１５２は、たとえば、液晶ディスプレイからなる。
【００２３】
なお、操作部１５１及び表示部１５２は、タッチパネルを構成していてもよい。タッチパネルを構成する表示部１５２には、各種の情報や操作ボタンなどの画像が表示される。ユーザが表示部１５２に表示される操作ボタンを押操作（タッチ操作）することにより、その操作が操作部１５１に受け付けられて、その操作の内容に応じた信号が操作パネル１５から出力される。以下では、操作部１５１及び表示部１５２がタッチパネルを構成する場合を取り上げる。
【００２４】
また、複合機１は、ＬＡＮインタフェース（Ｉ／Ｆ）１６、ＦＡＸインタフェース（Ｉ／Ｆ）１７及び制御部１８を備えている。
【００２５】
ＬＡＮインタフェース１６（通信部の一例）は、ＬＡＮとの接続のためのインタフェースである。
【００２６】
ＦＡＸインタフェース１７（通信部の一例）は、ファックス通信に使用される公衆電話回線との接続のためのインタフェースであり、ＮＣＵ（Network Control Unit）を内蔵したモデムなどを備えている。
【００２７】
制御部１８は、処理回路２１、ＲＯＭ（Read Only Memory）２２及びＲＡＭ（Random Access Memory）２３を備えている。
【００２８】
処理回路２１には、ＲＯＭ２２及びＲＡＭ２３以外に、読取部１１、印刷部１２、操作部１５１、表示部１５２、ＬＡＮインタフェース１６、ＦＡＸインタフェース１７、シート搬送部１３及びモータ１４が接続されている。
【００２９】
処理回路２１は、ＣＰＵ２４（制御部の一例）を内蔵している。処理回路２１には、操作パネル１５から出力される信号などが入力される。ＣＰＵ２４は、処理回路２１に入力される信号などに基づいて、ＲＯＭ２２に記憶されているプログラムを実行することにより、読取部１１、印刷部１２、操作部１５１、表示部１５２、ＬＡＮインタフェース１６及びＦＡＸインタフェース１７を含む各部を制御する。
【００３０】
ＲＯＭ２２は、フラッシュメモリなどの書き換え可能な不揮発性メモリからなる。ＲＯＭ２２には、ＣＰＵ２４によって実行されるプログラム及び各種のデータなどが記憶されている。
【００３１】
ＲＡＭ２３は、ＤＲＡＭ（Dynamic Random Access Memory）などの揮発性メモリであり、ＣＰＵ２４がプログラムを実行する際のワークエリアとして使用される。
【００３２】
＜処理回路の機能処理部＞
処理回路２１は、図２に示されるように、受信処理部２１１、加工処理部２１２、送信処理部２１３及び印刷処理部２１４を実質的に備えている。受信処理部２１１及び送信処理部２１３は、ＣＰＵ２４が実行するプログラム処理により実現される機能処理部である。また、処理回路２１には、図１に示されるように、画像データ処理のための画像処理回路２５が備えられている。加工処理部２１２の機能には、画像処理回路２５の機能と、ＣＰＵ２４が実行するプログラム処理により実現される機能とが含まれる。加工処理部２１２の機能は、画像処理回路２５の機能のみであってもよい。処理回路２１には、図１に示されるように、モータ１４を駆動するための駆動回路２６が備えられている。駆動回路２６は、例えば、モータドライバであり、ＣＰＵ２４は、駆動回路２６を制御することで、モータ１４を駆動する。印刷処理部２１４は、ＣＰＵ２４が実行するプログラム処理及び駆動回路２５の処理により実現される機能処理部である。
【００３３】
たとえば、読取部１１により原稿が読み取られた場合、読取部１１で原稿画像データが生成され、読取部１１から処理回路２１に画像データが送信される。また、ＬＡＮインタフェース１６が外部端末からＬＡＮ経由で画像データを受信した場合、その画像データがＬＡＮインタフェース１６から処理回路２１に送信される。ＦＡＸインタフェース１７が外部のＦＡＸ端末から画像データを受信した場合、その画像データがＦＡＸインタフェース１７から処理回路２１に送信される。受信処理部２１１は、処理回路２１が読取部１１などから受信する画像データをＲＡＭ２３に記憶する。
【００３４】
加工処理部２１２は、ＲＡＭ２３に記憶された画像データを加工して、ＬＡＮインタフェース１６またはＦＡＸインタフェース１７から外部の端末に送信される画像データである送信データを生成する。また、加工処理部２１２は、ＲＡＭ２３に記憶された画像データを加工して、印刷部１２によってシートに印刷される画像データである印刷データを生成する。送信データ及び印刷データは、ＲＡＭ２３に記憶される。
【００３５】
送信処理部２１３は、ＲＡＭ２３に保持されている送信データをＬＡＮインタフェース１６またはＦＡＸインタフェース１７から外部端末に送信するための送信処理を実行する。送信データは、外部端末に送信されるデータそのものであってもよいし、外部端末に送信されるデータの基となる中間データであってもよい。送信データが中間データである場合、送信データは、加工処理部２１２により更なる加工処理または圧縮処理が施された上で、外部端末へ送信される。
【００３６】
印刷処理部２１４は、印刷部１２及びシート搬送部１３を制御し、また、駆動回路２６を制御することによりモータ１４の動作を制御して、ＲＡＭ２３に保持されている印刷データに係る画像をシートに印刷するための印刷処理を実行する。印刷データは、印刷処理の実行に際して処理が不要なデータであってもよいし、印刷処理の実行に際して更なる加工処理または展開処理が必要な中間データであってもよい。
【００３７】
＜スケジュールタスク＞
複合機１の電源が投入されている間、処理回路２１のＣＰＵ２４により、図３に示されるスケジュールタスクが所定の周期で実行される。
【００３８】
スケジュールタスクにおいて、ＣＰＵ２４は、未だ開始されていない出力ジョブである未開始ジョブの有無を判断する（Ｓ１）。複合機１で実行可能な出力ジョブには、出力ジョブに係る画像データの出力処理として印刷処理が指定された印刷出力ジョブと、出力処理として送信処理が指定された送信出力ジョブと、出力処理として印刷処理及び送信処理の両方が指定されたマルチ出力ジョブとがある。外部端末からＬＡＮ経由でＬＡＮインタフェース１６が受信する出力ジョブには、画像データが含まれるか、読取部１１により原稿を読み取る読取処理の実行指示が含まれるか、または画像データの保存先の情報が含まれている。外部のＦＡＸ端末からＦＡＸインタフェース１７が受信する出力ジョブには、画像データが含まれている。操作パネル１５の操作部１５１の操作により入力される出力ジョブには、読取部１１により原稿を読み取る読取処理の実行指示が含まれるか、または画像データの保存先の情報が含まれている。未開始ジョブが残っている場合、その未開始ジョブは、ＲＡＭ２３に記憶されている。
【００３９】
ＣＰＵ２４は、未開始ジョブがないと判断した場合（Ｓ１：ＮＯ）、スケジュールタスクの次の実行タイミングが到来すると、未開始ジョブの有無を再び判断する（Ｓ１）。
【００４０】
未開始ジョブがＲＡＭ２３に記憶されており、ＣＰＵ２４は、未開始ジョブがあると判断した場合（Ｓ１：ＹＥＳ）、未開始ジョブの中で最も過去にＲＡＭ２３に記憶された未開始ジョブの１つ前の出力ジョブ（以下、単に「前ジョブ」という。）について、出力ジョブに係る画像データを送信データ及び印刷データの一方またはその両方に加工する加工処理がすべて終了しているか否かを判断する（Ｓ２）。ＣＰＵ２４は、加工処理が終了していないと判断した場合（Ｓ２：ＮＯ）、スケジュールタスクの次の実行タイミングが到来すると、未開始ジョブの有無を再び判断する（Ｓ１）。
【００４１】
ＣＰＵ２４は、前ジョブに係る画像データに対する加工処理が終了していると判断した場合（Ｓ２：ＹＥＳ）、次に説明するジョブスケジュール処理を実行して（Ｓ３）、スケジュールタスクを終了する。
【００４２】
＜ジョブスケジュール処理＞
図３のステップＳ３で実行されるジョブスケジュール処理の流れは、図４に示されている。
【００４３】
ジョブスケジュール処理は、新たに画像データの加工処理を行う対象の出力ジョブ（以下、単に「対象ジョブ」という。）に係る画像データの出力処理の実行順序を決定（スケジュール）するルールを定めたものである。ジョブスケジュール処理では、ＣＰＵ２４は、対象ジョブの出力処理に印刷処理が含まれている否かを判断する（Ｓ３１）。
【００４４】
ＣＰＵ２４は、対象ジョブの出力処理に印刷処理が含まれていると判断した場合（Ｓ３１：ＹＥＳ）、前ジョブが印刷処理を最後に実行するようにスケジュールされているか否かを判断する（Ｓ３２）。ＣＰＵ２４は、前ジョブが印刷処理を最後に実行するようにスケジュールされていると判断した場合（Ｓ３２：ＹＥＳ）、その前ジョブの印刷処理が実行中であるか否かをさらに判断する（Ｓ３３）。そして、ＣＰＵ２４は、印刷処理が実行中であると判断した場合（Ｓ３３：ＹＥＳ）、現ジョブでの印刷処理を最初に実行するようにスケジュールして（Ｓ３４）、ジョブスケジュール処理を終了する。
【００４５】
一方、ＣＰＵ２４は、前ジョブが印刷処理を最後に実行するようにスケジュールされていないと判断した場合（Ｓ３２：ＮＯ）、または、前ジョブの印刷処理が実行中ではないと判断した場合（Ｓ３３：ＮＯ）、現ジョブでの印刷処理を最後に実行するようにスケジュールして（Ｓ３５）、ジョブスケジュール処理を終了する。
【００４６】
また、対象ジョブの出力処理に印刷処理が含まれない場合（Ｓ３１：ＮＯ）、つまり対象ジョブが送信出力ジョブである場合、ＣＰＵ２４は、その送信出力ジョブで指定された標準の順序で送信処理を実行するようにスケジュールして（Ｓ３６）、ジョブスケジュール処理を終了する。
【００４７】
＜第１のスケジュール例＞
図５には、第１ジョブ（前ジョブ）が出力処理として送信処理及び印刷処理を指定したマルチ出力ジョブ（第１マルチ出力ジョブの一例）であり、第２ジョブ（対象ジョブ）も出力処理として送信処理及び印刷処理を指定したマルチ出力ジョブ（第２マルチ出力ジョブの一例）である場合の出力処理のスケジュールが示されている。
【００４８】
第１ジョブを対象ジョブとするジョブスケジュール処理において、第１ジョブでの印刷処理を最後に実行するようにスケジュールされた場合、第１ジョブの実行時には、まず、第１ジョブに係る画像データから送信データを生成する加工処理が実行される。第１ジョブに係る画像データに３ページ分の画像データが含まれる場合、その画像データの加工により、第１ページの送信データ「１ＳＰ１」、第２ページの送信データ「１ＳＰ２」及び第３ページの送信データ「１ＳＰ３」がこの順に生成される。
【００４９】
第１ページの送信データ「１ＳＰ１」がＲＡＭ２３に記憶されると、その送信データ「１ＳＰ１」を外部端末に送信する送信処理が実行される。この送信処理と並行して、第２ページの送信データ「１ＳＰ２」を生成する加工処理が実行される。第１ページの送信データ「１ＳＰ１」の送信処理が終了すると、その送信データ「１ＳＰ１」がＲＡＭ２３から削除される。また、送信データ「１ＳＰ１」の送信処理の終了前に、第２ページの送信データ「１ＳＰ２」がＲＡＭ２３に記憶されていれば、送信データ「１ＳＰ１」の送信処理の終了に続いて、送信データ「１ＳＰ２」を外部端末に送信する送信処理が開始される。
【００５０】
第２ページの送信データ「１ＳＰ２」を生成する加工処理が終了すると、第３ページの送信データ「１ＳＰ３」を生成する加工処理の実行が可能となる。ただし、ＲＡＭ２３における送信データ及び印刷データを記憶する領域の容量が送信データ及び印刷データの２ページ分である場合、第１ページの送信データ「１ＳＰ１」がＲＡＭ２３に記憶されている間、第３ページの送信データ「１ＳＰ３」をＲＡＭ２３に記憶させることができない。そのため、第１ページの送信データ「１ＳＰ１」がＲＡＭ２３から消去されるまで、第３ページの送信データ「１ＳＰ３」を生成する加工処理の実行が待機される。そして、第１ページの送信データ「１ＳＰ１」がＲＡＭ２３から消去されると、第３ページの送信データ「１ＳＰ３」を生成する加工処理が実行されて、送信データ「１ＳＰ３」がＲＡＭ２３に記憶される。第２ページの送信データ「１ＳＰ２」の送信処理の終了後、送信データ「１ＳＰ２」がＲＡＭ２３から削除され、第３ページの送信データ「１ＳＰ３」を外部端末に送信する送信処理が開始される。
【００５１】
なお、本実施形態では、ＲＡＭ２３における送信データ及び印刷データを記憶する領域の容量が送信データ及び印刷データの２ページ分であるとする。
【００５２】
また、第２ページの送信データ「１ＳＰ２」の送信処理が終了して、送信データ「１ＳＰ２」がＲＡＭ２３から削除されると、次に、第１ジョブに係る画像データから印刷データを生成する加工処理が開始される。そして、第１ページの印刷データ「１ＰＰ１」が生成されると、その印刷データ「１ＰＰ１」がＲＡＭ２３に記憶される。第３ページの送信データ「１ＳＰ３」を外部端末に送信する送信処理が終了すると、第１ページの印刷データ「１ＰＰ１」に係る画像をシートに印刷する印刷処理が実行される。また、第３ページの送信データ「１ＳＰ３」がＲＡＭ２３から削除された後、第１ページの印刷データ「１ＰＰ１」の印刷処理と並行して、第２ページの印刷データ「１ＰＰ２」を生成する加工処理が実行される。第２ページの印刷データ「１ＰＰ２」が生成されると、その印刷データ「１ＰＰ２」がＲＡＭ２３に記憶される。
【００５３】
第１ページの印刷データ「１ＰＰ１」の印刷処理が終了すると、第２ページの印刷データ「１ＰＰ２」に係る画像をシートに印刷する印刷処理が実行される。また、第１ページの印刷データ「１ＰＰ１」がＲＡＭ２３から削除された後、第２ページの印刷データ「１ＰＰ２」の印刷処理と並行して、第３ページの印刷データ「１ＰＰ３」を生成する加工処理が実行される。第３ページの印刷データ「１ＰＰ３」が生成されると、その印刷データ「１ＰＰ３」がＲＡＭ２３に記憶される。
【００５４】
第２ページの印刷データ「１ＰＰ２」の印刷処理が終了すると、第３ページの印刷データ「１ＰＰ３」に係る画像をシートに印刷する印刷処理が実行される。
【００５５】
第１ジョブの印刷処理の実行中に第２ジョブを対象ジョブとするジョブスケジュール処理が実行された場合、そのジョブスケジュール処理では、第２ジョブでの印刷処理を最初に実行するようにスケジュールされる。この場合、第１ジョブの第２ページの印刷データ「１ＰＰ２」がＲＡＭ２３から削除された後、第２ジョブに係る画像データから印刷データを生成する加工処理が開始される。
【００５６】
そして、第１ジョブの第３ページの印刷データ「１ＰＰ３」の印刷処理と並行して、第２ジョブの第１ページの印刷データ「２ＰＰ１」を生成する加工処理が実行される。第１ページの印刷データ「２ＰＰ１」が生成されると、その印刷データ「２ＰＰ１」がＲＡＭ２３に記憶される。
【００５７】
第１ジョブの第３ページの印刷データ「１ＰＰ３」の印刷処理が終了すると、第２ジョブの第１ページの印刷データ「２ＰＰ１」に係る画像をシートに印刷する印刷処理が実行される。また、第１ジョブの第３ページの印刷データ「１ＰＰ３」がＲＡＭ２３から削除された後、第２ジョブの第１ページの印刷データ「２ＰＰ１」の印刷処理と並行して、第２ページの印刷データ「２ＰＰ２」を生成する加工処理が実行される。第２ページの印刷データ「２ＰＰ２」が生成されると、その印刷データ「２ＰＰ２」がＲＡＭ２３に記憶される。
【００５８】
第１ページの印刷データ「２ＰＰ１」の印刷処理が終了すると、第２ページの印刷データ「２ＰＰ２」に係る画像をシートに印刷する印刷処理が実行される。また、第１ページの印刷データ「２ＰＰ１」がＲＡＭ２３から削除された後、第２ページの印刷データ「２ＰＰ２」の印刷処理と並行して、第３ページの印刷データ「２ＰＰ３」を生成する加工処理が実行される。第３ページの印刷データ「２ＰＰ３」が生成されると、その印刷データ「２ＰＰ３」がＲＡＭ２３に記憶される。
【００５９】
第２ページの印刷データ「２ＰＰ２」の印刷処理が終了すると、第３ページの印刷データ「２ＰＰ３」に係る画像をシートに印刷する印刷処理が実行される。また、第２ページの印刷データ「２ＰＰ２」がＲＡＭ２３から削除された後、第２ジョブに係る画像データから送信データを生成する加工処理が開始される。
【００６０】
そして、第３ページの印刷データ「２ＰＰ３」の印刷処理と並行して、第１ページの送信データ「２ＳＰ１」を生成する加工処理が実行される。第１ページの送信データ「２ＳＰ１」が生成されると、その送信データ「２ＳＰ１」がＲＡＭ２３に記憶される。
【００６１】
第３ページの印刷データ「２ＰＰ３」の印刷処理が終了すると、第１ページの送信データ「２ＳＰ１」を外部端末に送信する送信処理が実行される。また、第３ページの印刷データ「１ＰＰ３」がＲＡＭ２３から削除された後、第１ページの送信データ「２ＳＰ１」の送信処理と並行して、第２ページの送信データ「２ＳＰ２」を生成する加工処理が実行される。第２ページの送信データ「２ＳＰ２」が生成されると、その送信データ「２ＳＰ２」がＲＡＭ２３に記憶される。
【００６２】
第１ページの送信データ「２ＳＰ１」の送信処理が終了すると、第２ページの送信データ「２ＳＰ２」を外部端末に送信する送信処理が実行される。また、第１ページの印刷データ「２ＳＰ１」がＲＡＭ２３から削除された後、第２ページの送信データ「２ＳＰ２」の送信処理と並行して、第３ページの送信データ「２ＳＰ３」を生成する加工処理が実行される。第３ページの送信データ「２ＳＰ３」が生成されると、その送信データ「２ＳＰ３」がＲＡＭ２３に記憶される。
【００６３】
第２ページの送信データ「２ＳＰ２」の送信処理が終了すると、第３ページの送信データ「２ＳＰ３」を外部端末に送信する送信処理が実行される。また、第２ページの印刷データ「２ＳＰ２」がＲＡＭ２３から削除される。その後、第３ページの送信データ「２ＳＰ３」の送信処理が終了すると、第３ページの印刷データ「２ＳＰ３」がＲＡＭ２３から削除されて、第２ジョブが終了となる。
【００６４】
＜第２のスケジュール例＞
図６には、第１ジョブが出力処理として送信処理及び印刷処理を指定したマルチ出力ジョブ（第１マルチ出力ジョブの一例）であり、第２ジョブも出力処理として送信処理及び印刷処理を指定したマルチ出力ジョブ（第２マルチ出力ジョブの一例）であり、第３ジョブも出力処理として送信処理及び印刷処理を指定したマルチ出力ジョブ（第３マルチ出力ジョブの一例）である場合の出力処理のスケジュールが示されている。
【００６５】
第１ジョブ及び第２ジョブにおける出力処理のスケジュールについては、図５を参照して説明したとおりであるから、ここでの説明は省略する。
【００６６】
第２ジョブの送信処理の実行中に第３ジョブを対象ジョブとするジョブスケジュール処理が実行された場合、そのジョブスケジュール処理では、第３ジョブでの印刷処理を最後に実行するようにスケジュールされる。この場合、第２ジョブの第２ページの送信データ「２ＳＰ２」がＲＡＭ２３から削除された後、第３ジョブに係る画像データから送信データを生成する加工処理が開始される。
【００６７】
そして、第２ジョブの第３ページの送信データ「２ＳＰ３」の送信処理と並行して、第３ジョブの第１ページの送信データ「３ＳＰ１」を生成する加工処理が実行される。第１ページの送信データ「３ＳＰ１」が生成されると、その送信データ「３ＳＰ１」がＲＡＭ２３に記憶される。
【００６８】
第２ジョブの第３ページの送信データ「２ＳＰ３」の送信処理が終了すると、第３ジョブの第１ページの送信データ「３ＳＰ１」を外部端末に送信する送信処理が実行される。また、第２ジョブの第３ページの送信データ「２ＳＰ３」がＲＡＭ２３から削除された後、第３ジョブの第１ページの送信データ「３ＳＰ１」の送信処理と並行して、第２ページの送信データ「３ＳＰ２」を生成する加工処理が実行される。第２ページの送信データ「３ＳＰ２」が生成されると、その送信データ「３ＳＰ２」がＲＡＭ２３に記憶される。
【００６９】
第１ページの送信データ「３ＳＰ１」の送信処理が終了すると、第２ページの送信データ「３ＳＰ２」を外部端末に送信する送信処理が実行される。また、第１ページの送信データ「３ＳＰ１」がＲＡＭ２３から削除された後、第２ページの送信データ「３ＳＰ２」の送信処理と並行して、第３ページの送信データ「３ＳＰ３」を生成する加工処理が実行される。第３ページの送信データ「３ＳＰ３」が生成されると、その送信データ「３ＳＰ３」がＲＡＭ２３に記憶される。
【００７０】
第２ページの送信データ「３ＳＰ２」の送信処理が終了すると、第３ページの送信データ「３ＳＰ３」を外部端末に送信する送信処理が実行される。また、第２ページの送信データ「３ＳＰ２」がＲＡＭ２３から削除された後、第３ジョブに係る画像データから印刷データを生成する加工処理が開始される。
【００７１】
そして、第３ページの送信データ「３ＳＰ３」の送信処理と並行して、第１ページの印刷データ「３ＰＰ１」を生成する加工処理が実行される。第１ページの送信データ「３ＰＰ１」が生成されると、その送信データ「３ＰＰ１」がＲＡＭ２３に記憶される。
【００７２】
第３ページの送信データ「３ＳＰ３」の送信処理が終了すると、第１ページの印刷データ「３ＰＰ１」に係る画像をシートに印刷する印刷処理が実行される。また、第３ページの送信データ「３ＳＰ３」がＲＡＭ２３から削除された後、第１ページの印刷データ「３ＰＰ１」の印刷処理と並行して、第２ページの印刷データ「３ＰＰ２」を生成する加工処理が実行される。第２ページの印刷データ「３ＰＰ２」が生成されると、その印刷データ「３ＰＰ２」がＲＡＭ２３に記憶される。
【００７３】
第１ページの印刷データ「３ＰＰ１」の印刷処理が終了すると、第２ページの印刷データ「３ＰＰ２」に係る画像をシートに印刷する印刷処理が実行される。また、第１ページの印刷データ「３ＰＰ１」がＲＡＭ２３から削除された後、第２ページの印刷データ「３ＰＰ２」の印刷処理と並行して、第３ページの印刷データ「３ＰＰ３」を生成する加工処理が実行される。第３ページの印刷データ「３ＰＰ３」が生成されると、その印刷データ「３ＰＰ３」がＲＡＭ２３に記憶される。
【００７４】
第２ページの印刷データ「３ＰＰ２」の印刷処理が終了すると、第３ページの印刷データ「３ＰＰ３」に係る画像をシートに印刷する印刷処理が実行される。また、第２ページの印刷データ「３ＰＰ２」がＲＡＭ２３から削除される。その後、第３ページの印刷データ「３ＰＰ３」の印刷処理が終了すると、第３ページの印刷データ「３ＰＰ３」がＲＡＭ２３から削除されて、第３ジョブが終了となる。
【００７５】
＜第３のスケジュール例＞
図７には、第１ジョブが出力処理として送信処理及び印刷処理を指定したマルチ出力ジョブ（第１マルチ出力ジョブの一例）であり、第２ジョブが出力処理として印刷処理のみを指定した印刷出力ジョブであり、第３ジョブも出力処理として送信処理及び印刷処理を指定したマルチ出力ジョブである場合の出力処理のスケジュールが示されている。
【００７６】
第１ジョブにおける出力処理のスケジュールについては、図５を参照して説明したとおりであるから、ここでの説明は省略する。
【００７７】
第１ジョブの印刷処理の実行中に第２ジョブを対象ジョブとするジョブスケジュール処理が実行された場合、そのジョブスケジュール処理では、第２ジョブでの印刷処理を最初に実行するようにスケジュールされる。この場合、第１ジョブの第２ページの印刷データ「１ＰＰ２」がＲＡＭ２３から削除された後、第２ジョブに係る画像データから印刷データを生成する加工処理が開始される。
【００７８】
そして、第１ジョブの第３ページの印刷データ「１ＰＰ３」の印刷処理と並行して、第２ジョブの第１ページの印刷データ「２ＰＰ１」を生成する加工処理が実行される。第１ページの印刷データ「２ＰＰ１」が生成されると、その印刷データ「２ＰＰ１」がＲＡＭ２３に記憶される。
【００７９】
第１ジョブの第３ページの印刷データ「１ＰＰ３」の印刷処理が終了すると、第２ジョブの第１ページの印刷データ「２ＰＰ１」に係る画像をシートに印刷する印刷処理が実行される。また、第１ジョブの第３ページの印刷データ「１ＰＰ３」がＲＡＭ２３から削除された後、第２ジョブの第１ページの印刷データ「２ＰＰ１」の印刷処理と並行して、第２ページの印刷データ「２ＰＰ２」を生成する加工処理が実行される。第２ページの印刷データ「２ＰＰ２」が生成されると、その印刷データ「２ＰＰ２」がＲＡＭ２３に記憶される。
【００８０】
第１ページの印刷データ「２ＰＰ１」の印刷処理が終了すると、第２ページの印刷データ「２ＰＰ２」に係る画像をシートに印刷する印刷処理が実行される。また、第１ページの印刷データ「２ＰＰ１」がＲＡＭ２３から削除された後、第２ページの印刷データ「２ＰＰ２」の印刷処理と並行して、第３ページの印刷データ「２ＰＰ３」を生成する加工処理が実行される。第３ページの印刷データ「２ＰＰ３」が生成されると、その印刷データ「２ＰＰ３」がＲＡＭ２３に記憶される。
【００８１】
第２ページの印刷データ「２ＰＰ２」の印刷処理が終了すると、第３ページの印刷データ「２ＰＰ３」に係る画像をシートに印刷する印刷処理が実行される。
【００８２】
第２ジョブの印刷処理の実行中に第３ジョブを対象ジョブとするジョブスケジュール処理が実行された場合、そのジョブスケジュール処理では、第３ジョブでの印刷処理を最初に実行するようにスケジュールされる。この場合、第２ジョブの第２ページの印刷データ「２ＰＰ２」がＲＡＭ２３から削除された後、第３ジョブに係る画像データから印刷データを生成する加工処理が開始される。
【００８３】
そして、第２ジョブの第３ページの印刷データ「２ＰＰ３」の印刷処理と並行して、第３ジョブの第１ページの印刷データ「３ＰＰ１」を生成する加工処理が実行される。第１ページの印刷データ「３ＰＰ１」が生成されると、その印刷データ「３ＰＰ１」がＲＡＭ２３に記憶される。
【００８４】
第２ジョブの第３ページの印刷データ「２ＰＰ３」の印刷処理が終了すると、第３ジョブの第１ページの印刷データ「３ＰＰ１」に係る画像をシートに印刷する印刷処理が実行される。また、第２ジョブの第３ページの印刷データ「２ＰＰ３」がＲＡＭ２３から削除された後、第３ジョブの第１ページの印刷データ「３ＰＰ１」の印刷処理と並行して、第３ページの印刷データ「３ＰＰ２」を生成する加工処理が実行される。第２ページの印刷データ「３ＰＰ２」が生成されると、その印刷データ「３ＰＰ２」がＲＡＭ２３に記憶される。
【００８５】
第１ページの印刷データ「３ＰＰ１」の印刷処理が終了すると、第２ページの印刷データ「３ＰＰ２」に係る画像をシートに印刷する印刷処理が実行される。また、第１ページの印刷データ「３ＰＰ１」がＲＡＭ２３から削除された後、第２ページの印刷データ「３ＰＰ２」の印刷処理と並行して、第３ページの印刷データ「３ＰＰ３」を生成する加工処理が実行される。第３ページの印刷データ「３ＰＰ３」が生成されると、その印刷データ「３ＰＰ３」がＲＡＭ２３に記憶される。
【００８６】
第２ページの印刷データ「３ＰＰ２」の印刷処理が終了すると、第３ページの印刷データ「３ＰＰ３」に係る画像をシートに印刷する印刷処理が実行される。また、第２ページの印刷データ「３ＰＰ２」がＲＡＭ２３から削除された後、第２ジョブに係る画像データから送信データを生成する加工処理が開始される。
【００８７】
そして、第３ページの印刷データ「３ＰＰ３」の印刷処理と並行して、第１ページの送信データ「３ＳＰ１」を生成する加工処理が実行される。第１ページの送信データ「３ＳＰ１」が生成されると、その送信データ「３ＳＰ１」がＲＡＭ２３に記憶される。
【００８８】
第３ページの印刷データ「３ＰＰ３」の印刷処理が終了すると、第１ページの送信データ「３ＳＰ１」を外部端末に送信する送信処理が実行される。また、第３ページの印刷データ「１ＰＰ３」がＲＡＭ２３から削除された後、第１ページの送信データ「３ＳＰ１」の送信処理と並行して、第２ページの送信データ「３ＳＰ２」を生成する加工処理が実行される。第２ページの送信データ「３ＳＰ２」が生成されると、その送信データ「３ＳＰ２」がＲＡＭ２３に記憶される。
【００８９】
第１ページの送信データ「３ＳＰ１」の送信処理が終了すると、第２ページの送信データ「３ＳＰ２」を外部端末に送信する送信処理が実行される。また、第１ページの印刷データ「３ＳＰ１」がＲＡＭ２３から削除された後、第２ページの送信データ「３ＳＰ２」の送信処理と並行して、第３ページの送信データ「３ＳＰ３」を生成する加工処理が実行される。第３ページの送信データ「３ＳＰ３」が生成されると、その送信データ「３ＳＰ３」がＲＡＭ２３に記憶される。
【００９０】
第２ページの送信データ「３ＳＰ２」の送信処理が終了すると、第３ページの送信データ「３ＳＰ３」を外部端末に送信する送信処理が実行される。また、第２ページの印刷データ「３ＳＰ２」がＲＡＭ２３から削除される。その後、第３ページの送信データ「３ＳＰ３」の送信処理が終了すると、第３ページの印刷データ「３ＳＰ３」がＲＡＭ２３から削除されて、第３ジョブが終了となる。
【００９１】
＜第４のスケジュール例＞
図８には、第１ジョブが出力処理として送信処理及び印刷処理を指定したマルチ出力ジョブ（第１マルチ出力ジョブの一例）であり、第３ジョブも出力処理として送信処理及び印刷処理を指定したマルチ出力ジョブ（第２マルチ出力ジョブの一例）であり、第４ジョブも出力処理として送信処理及び印刷処理を指定したマルチ出力ジョブ（第３マルチ出力ジョブの一例）であり、第４ジョブも出力処理として送信処理及び印刷処理を指定したマルチ出力ジョブ（第４マルチ出力ジョブの一例）である場合の出力処理のスケジュールが示されている。
【００９２】
第１ジョブ、第２ジョブ及び第３ジョブにおける出力処理のスケジュールについては、図５及び図７を参照して説明したとおりであるから、ここでの説明は省略する。
【００９３】
第３ジョブの印刷処理の実行中に第４ジョブを対象ジョブとするジョブスケジュール処理が実行された場合、そのジョブスケジュール処理では、第４ジョブでの印刷処理を最初に実行するようにスケジュールされる。この場合、第３ジョブの印刷処理に続いて、第４ジョブの印刷処理が実行される。そして、第４ジョブの印刷処理の後、第４ジョブの送信処理が実行される。
【００９４】
＜印刷タスク＞
出力ジョブの実行中、処理回路２１のＣＰＵ２４により、図９に示される印刷タスクが所定の周期で実行される。
【００９５】
印刷タスクにおいて、ＣＰＵ２４は、出力ジョブの印刷処理を開始するか否かを判断する（Ｓ９１）。たとえば、図５に示されるスケジュールが設定された場合、第１ページの印刷データ「１ＰＰ１」に係る画像をシートに印刷する印刷処理を開始するタイミングが到来すると、ＣＰＵ２４は、印刷処理の開始を判断する（Ｓ９１：ＹＥＳ）。
【００９６】
ＣＰＵ２４は、印刷処理の開始を判断したことに応じて、印刷部１２及びシート搬送部１３の駆動源であるモータ１４の駆動を開始する（Ｓ９２）。そして、ＣＰＵ２４は、印刷処理を開始するための準備動作として、現像ローラ１２１及び感光体ドラム１２２を回転させて、現像ローラ１２１の表面に撹拌により帯電したトナーを担持させる動作や、搬送ローラ１３１を回転させる動作を行わせる。
【００９７】
その後、ＣＰＵ２４は、印刷部１２及びシート搬送部１３を制御して、シート搬送部１３によりシートを１枚ずつ搬送路を搬送させ、その搬送されるシートに印刷部１２により画像を印刷させる（Ｓ９３）。
【００９８】
図５に示されるスケジュールでは、第１ジョブの第３ページの印刷データ「１ＰＰ３」の印刷が終了した時点で、ＣＰＵ２４は、次の印刷処理の有無を判断する（Ｓ９４）。図５に示されるスケジュールでは、第２ジョブの印刷処理があるので、ＣＰＵ２４は、次の印刷処理があると判断して（Ｓ９４：ＹＥＳ）、印刷部１２及びシート搬送部１３を制御して、第２ジョブの第１ページの印刷データ「２ＰＰ１」に係る画像の印刷を開始する（Ｓ９３）。
【００９９】
ＣＰＵ２４は、次の印刷処理がないと判断した場合（Ｓ９４：ＮＯ）、モータ１４の駆動を停止させて（Ｓ９５）、印刷タスクを終了する。図５に示されるスケジュールでは、第２ジョブの第３ページの印刷データ「２ＰＰ３」の印刷が終了すると、モータ１４の駆動を停止させる。
【０１００】
＜作用効果＞
以上のように、図５に示されるスケジュールを例にとると、第１ジョブ及び第２ジョブがマルチ出力ジョブであり、第１ジョブに係る出力処理では、印刷処理が送信処理の後に実行され、第２ジョブに係る出力処理では、印刷処理が送信処理の前に実行される。これにより、第１ジョブの印刷処理の終了後に第２ジョブの印刷処理を連続的に実行することができる。その結果、それらの印刷処理の実行間隔が大きく空かず、後続の印刷処理の実行前に現像ローラ１２１や感光体ドラム１２２などの各部を駆動する準備動作が不要となるので、トナーなどの消耗材の劣化を抑制することができる。
【０１０１】
また、図６に示されるスケジュールを例にとると、第１ジョブ及び第２ジョブがマルチ出力ジョブであり、第３ジョブもマルチ出力ジョブである場合、第３ジョブに係る出力処理では、印刷処理が送信処理の後に実行される。そのため、第２ジョブの印刷処理の終了から第３ジョブの印刷処理の開始まで時間がある。図９に示される印刷タスクによれば、第２ジョブの印刷処理の終了後に印刷処理がないので、第３ジョブの印刷処理の開始時までの期間、モータ１４の駆動が停止される。これにより、現像ローラ１２１や感光体ドラム１２２などが無駄に駆動されることによる消耗材の劣化や電力の消費などを抑制することができる。
【０１０２】
さらに、図８に示されるスケジュールでは、第４ジョブもマルチ出力ジョブであり、この場合、第４ジョブに係る出力処理では、印刷処理が送信処理の前に実行される。そのため、第３ジョブの印刷処理の終了後に第４ジョブの印刷処理を連続的に実行することができる。その結果、第３ジョブの印刷処理と第４ジョブの印刷処理との実行間隔も大きく空かず、第４ジョブの印刷処理の実行前に現像ローラ１２１や感光体ドラム１２２などの各部を駆動する準備動作が不要となるので、消耗材の劣化を抑制することができる。
【０１０３】
＜変形例＞
以上、本発明の一実施形態について説明したが、本発明は、他の形態で実施することもできる。
【０１０４】
たとえば、前述の実施形態では、ＣＰＵ２４が各処理を実行する場合について説明した。しかしながら、処理回路２１が複数のＣＰＵを備え、複数のＣＰＵが協働して各処理を実行してもよい。
【０１０５】
その他、前述の構成には、特許請求の範囲に記載された事項の範囲で種々の設計変更を施すことが可能である。
【符号の説明】
【０１０６】
１：複合機
１２：印刷部
１３：シート搬送部
１４：モータ
１６：ＬＡＮインタフェース
１７：ＦＡＸインタフェース
２４：ＣＰＵ
１２１：現像ローラ
１２２：感光体ドラム
１３１：搬送ローラ
【図１】
2020108924.tif 000003
【図２】
2020108924.tif 000004
【図３】
2020108924.tif 000005
【図４】
2020108924.tif 000006
【図５】
2020108924.tif 000007
【図６】
2020108924.tif 000008
【図７】
2020108924.tif 000009
【図８】
2020108924.tif 000010
【図９】
2020108924.tif 000011